(57)【要約】      （修正有）【課題】耳前部、耳上部、耳後部は特に東洋医学のツボの多い部位であり、頭皮の大きな静脈が、耳前部、耳後部ありますので、ここのツボに当たる部位に磁石、又ゲルマニュームが当たる眼鏡の紐を提供する。【解決手段】磁石、ゲルマニュームを、眼鏡の紐（又は鎖）に左右２個を１対として付け、眼鏡の弦（テンプル部分）に固定又はぶら下げる形で付ける。眼鏡の（又は鎖）は、眼鏡に取り付け、取り外し可能にし紐（鎖も必要に応じて付け、外し可能な状態で付ける。【選択図】図３
2009025779.tif 000002
【特許請求の範囲】
【請求項１】
本発明は、眼鏡の紐（又は鎖）に、磁石（又はゲルマニューム）を金属、又はプラスチック、宝石、角、等に嵌め込んで取り付け、眼鏡の弦に簡単に着け外しが出来る様な機構を持った健康効果がある眼鏡の付属品、紐（又は鎖）だけを外して使う事も出来、眼鏡に合わせて紐だけを取り替える事も出来る様にした装飾品である。
【発明の詳細な説明】
【技術分野】
【０００１】
【背景技術】
【０００２】磁石は、商品名（ピップエレキバン）として一般的に効果があるとされ長期間ヒット商品として販売されている事。
磁石のブレスレット、ネックレス等も一般に広認知され、販売されている事。
磁石、ゲルマニューム共にネックレス、ブレスレットとして広く健康効果が有ると認知されて販売されている事。
【発明の開示】
【発明が解決しようとする課題】
【０００３】本発明は、磁石、ゲルマニュームのブレスレット、ネックレス、等に属するアクセサリーである。製造段階の商品であれば、弦の部分を初めから磁石、又はゲルマニュームを付けた物を作る事も出来る。
本発明では、既に個人が持っている眼鏡に付いて、眼鏡の紐（又は鎖）に付けて取り付ける事を想定して考案した。眼鏡の弦に（テンプル部分）固定して取り付ける、又はぶら下げて取り付ける構造で作る。現在眼鏡の紐に磁石、ゲルマニュームが付いているものは無い。紐の部分だけを外す事も出来る構造にする。
耳前部、耳上部、耳後部は特に東洋医学のツボの多い部位であり、頭皮の大きな静脈が、耳前部、耳後部ありますので、ここのツボに当たる部位に磁石、又ゲルマニュームが当たれば効果もがあると思われます。
【課題を解決するための手段】
【０００４】本発明では、一般に健康効果があるとされている、磁石、ゲルマニュームを、眼鏡の紐（又は鎖）に左右２個を１対として付け、眼鏡の弦（テンプル部分）に固定又はぶら下げる形で付ける。眼鏡の紐（又は鎖）は、眼鏡に取り付け、取り外し可能にし、紐、（鎖）も必要に応じて付け、外し可能な状態で付ける。
紐（鎖）とのマッチ、眼鏡とのマッチ、男性用、女性用、大きさ、重さ、色、形、の違う紐（鎖）共に沢山の種類を用意して提供する必要がある。
磁石（ゲルマニューム）に、宝石、真珠等のアクセサリーを加えて、依り豪華にする事も出来る。
【発明の効果】
【０００５】本発明は、磁石、ゲルマニュームを耳前部に取り付ける事により、東洋医学で云うツボに当てる事により、より効果があるものと予想される。
【発明を実施するための最良の形態】
【０００６】眼鏡の弦の全体に、磁石、（又はゲルマニューム）を貼り付けた物があり、更に眼鏡の紐にも磁石、（又はゲルマニューム）付けたものを付ければより効果も有ると思う。
紐（又は鎖）は一般には付けている人は少ないので、好みに応じて簡単に着け外しが出来る構造にする。紐（鎖）も男性用、女性用、眼鏡の型との取り合わせ等と大きさ、色、形の違い等、様々な好みに合わせて沢山の種類を提供する必要がある。
【実施例】
【０００７】実施例は無い。
【産業上の利用可能性】
【０００８】本発明は、既に一般に個人で所有している眼鏡に、着け外し可能な形態にする事により、眼鏡本体ごと取り替える必要が無く、取り付ける事が出来るので、安く出来る。新しい眼鏡は弦に初めから磁石（又はゲルマニューム）を付いた物を作る事も出来る。磁石（又はゲルマニューム）をはめ込んだ飾りの本体は、男性用、女性用デザイン、色、形、好みに合わせて沢山の種類が必要になる。紐（又は鎖）も好みに合わせて多くの種類を用意して、組み合わせを変えて楽しめる要素を考慮する必要がある。
【図面の簡単な説明】
【０００９】
【図１】は眼鏡に取り付けるゴム輪と磁石（又はゲルマニューム）を嵌め込んだ本体とを表す。これが２個１対で１つの眼鏡の紐（又は鎖）になる。
【図２】は実際には眼鏡に着けた時、表面になるので、彫刻を入れる、宝石を着ける、ダイヤモンドを嵌め込む等の装飾が必要になる。
【図３】は磁石（ゲルマニューム）をはめ込んだ本体の側面図を現します。
【図４】は眼鏡の弦に固定して取り付けるための機構を表しています。
【図５】磁石（又はゲルマニューム）をはめ込んだ本体と紐を表す。
【図６】図５の裏面を表す。
【図７】図５、６、の側面図。
【符号の説明】
【００１０】１は眼鏡に取り付けるゴム輪、図１図２図３ともに共通。
２は磁石（又はゲルマニューム）をはめ込んだ本体、図１図２図３図４図５図６ともに共通。
３は本体と紐（又は鎖）を繋ぐ輪。図１図２図３図４図５図６ともに共通。
４は３の輪と紐（又は鎖）を繋ぐ輪、通常ネックレスに使われている結合用輪。
図１図２図３図４図５図６ともに共通
５は紐（又は鎖）図１図２図３図４図５図６ともに共通
６  図１は磁石（ゲルマニューム）をはめ込む窪み、図２の６は裏図、図３の６は本体の側面図。図４図５図６も同じ磁石（又はゲルマニューム）を表す。
６は磁石（又はゲルマニューム）の形状に因って、は２個３個になる場合もある。
７は弦（テンプル部分）に固定して取り付けるための機構。
８は弦（テンプル部分）に固定して取り付けるための機構、螺子。
【図１】
2009025779.tif 000003
【図２】
2009025779.tif 000004
【図３】
2009025779.tif 000005
【図４】
2009025779.tif 000006
【図５】
2009025779.tif 000007
【図６】
2009025779.tif 000008
【手続補正書】
【提出日】平成19年9月18日(2007.9.18)
【手続補正１】
【補正対象書類名】明細書
【補正対象項目名】０００９
【補正方法】変更
【補正の内容】
【０００９】
【図１】は眼鏡に取り付けるゴム輪と磁石（又はゲルマニューム）を嵌め込んだ本体とを表す。これが２個１対で１つの眼鏡の紐（又は鎖）になる。記号１はゴムを表す。記号２は磁石、ゲルマニュームを嵌め込む本体を表す。記号３は本体と紐、又は鎖を取り付ける輪を表す。記号４は輪と紐又は鎖を取り付ける機構、取り付け外し可能な輪を表す。記号５は紐、又は鎖を表す。記号６は本体に磁石又はゲルマニュームを嵌め込むへこみ部分を表す。記号７は眼鏡の弦に取り付ける機構を表す。記号８は螺子を表す。
【図２】は実際には眼鏡に着けた時、表面になるので、彫刻を入れる、宝石を着ける、ダイヤモンドを嵌め込む等の装飾が必要になる。
【図３】は磁石（ゲルマニューム）をはめ込んだ本体の側面図を現します。
【図４】は眼鏡の弦に固定して取り付けるための機構を表しています。
【図５】磁石（又はゲルマニューム）をはめ込んだ本体と紐を表す。
【図６】図５の側面を表す。
【手続補正書】
【提出日】平成19年9月18日(2007.9.18)
【手続補正１】
【補正対象書類名】明細書
【補正対象項目名】０００９
【補正方法】変更
【補正の内容】
【０００９】
【図１】は眼鏡に取り付けるゴム輪と磁石（又はゲルマニューム）を嵌め込んだ本体とを表す。これが２個１対で１つの眼鏡の紐（又は鎖）になる。記号１はゴムを表す。記号２は磁石、ゲルマニュームを嵌め込む本体を表す。記号３は本体と紐、又は鎖を取り付ける輪を表す。記号４は輪と紐又は鎖を取り付ける機構、取り付け外し可能な輪を表す。記号５は紐、又は鎖を表す。記号６は本体に磁石又はゲルマニュームを嵌め込むへこみ部分を表す。記号７は眼鏡の弦に取り付ける機構を表す。記号８は螺子を表す。
【図２】は実際には眼鏡に着けた時、表面になるので、彫刻を入れる、宝石を着ける、ダイヤモンドを嵌め込む等の装飾が必要になる。
【図３】は磁石（ゲルマニューム）をはめ込んだ本体の側面図を現します。
【図４】は眼鏡の弦に固定して取り付けるための機構を表しています。
【図５】磁石（又はゲルマニューム）をはめ込んだ本体と紐を表す。
【図６】図５の側面を表す。